(57)【要約】【課題】画像形成装置において、ＵＩ画面（ユーザインターフェイス画面）の変更を自由かつ容易に行うことができると共に、ＵＩ画面に追記された部分の抽出精度を向上する。【解決手段】画像形成装置１は、所定の画像を表示するＵＩ表示部２と、ＵＩ表示部２に表示されるＵＩ表示画像１９に対して手書きで追記された部分を抽出する追記部分抽出部１６と、追記部分抽出部１６によって抽出された追記画像２０とＵＩ表示画像１９とを関連付けた追記・ＵＩ関連情報２１を生成する追記・ＵＩ関連付部１７と、追記・ＵＩ関連付部１７によって関連付けられた追記画像２０とＵＩ表示画像１９とを別々に記憶する記憶部４と、記憶部４に記憶されたＵＩ表示画像１９上に、追記・ＵＩ関連情報２１に基づいて追記画像２０を重ね合わせ、ＵＩ表示部２に表示する画像重合部１８とを備えている。【選択図】図１
2009290254.tif 000002
【特許請求の範囲】
【請求項１】
所定の画像を表示する表示部と、
前記表示部に表示される表示画像に対して手書きで追記された部分を抽出する追記部分抽出部と、
前記追記部分抽出部によって抽出された追記画像と前記表示画像とを関連付けた関連情報を生成する関連付部と、
前記関連付部によって関連付けられた前記追記画像と前記表示画像とを別々に記憶する記憶部と、
前記記憶部に記憶された前記表示画像上に、前記関連情報に基づいて前記追記画像を重ね合わせ、前記表示部に表示する画像重合部とを備えることを特徴とする画像形成装置。
【請求項２】
前記表示画像を印刷する印刷部と、
前記印刷部によって印刷された表示画像に対して手書きで追記された画像を読み取る読取部とを備え、
前記追記部分抽出部は、前記読取部によって読み取られた画像と前記印刷部によって印刷された表示画像とを差分することで追記された部分を抽出することを特徴とする請求項１に記載の画像形成装置。
【請求項３】
前記表示部に表示された画面上で、手書きによって追記入力する追記入力部とを備え、
前記追記部分抽出部は、前記追記入力部によって入力された画像と前記表示画像とを差分することで追記された部分を抽出することを特徴とする請求項１に記載の画像形成装置。
【請求項４】
前記追記入力部は、タッチパネルおよびタッチペンで構成されていることを特徴とする請求項３に記載の画像形成装置。
【請求項５】
前記表示画像内の特定領域を削除または塗り潰すことで追記可能領域を生成する追記可能領域生成部とを備え、
前記印刷部は、前記追記可能領域が生成された表示画像を印刷することを特徴とする請求項２に記載の画像形成装置。
【請求項６】
前記追記可能領域生成部は、前記表示画像内の文字を削除または塗り潰すことで追記可能領域を生成することを特徴とする請求項５に記載の画像形成装置。
【請求項７】
前記印刷部による印刷時に前記表示画像の印刷色を選択するように構成されていることを特徴とする請求項２に記載の画像形成装置。
【請求項８】
前記印刷部による印刷時に前記表示画像の印刷倍率を選択するように構成されていることを特徴とする請求項２に記載の画像形成装置。
【請求項９】
前記読取部によって読み取られた画像が前記表示画像のサイズと異なる場合には、読取倍率を選択するように構成されていることを特徴とする請求項２に記載の画像形成装置。
【請求項１０】
前記関連情報は、前記追記画像のＩＤと前記表示画像のＩＤとを関連付けた情報で構成されていることを特徴とする請求項１に記載の画像形成装置。
【請求項１１】
請求項１に記載の構成を有する画像形成装置に実行させるプログラムであって、
所定の画像を表示する表示ステップと、
前記表示ステップによって表示された表示画像に対して追記された部分を抽出する追記部分抽出ステップと、
前記追記部分抽出ステップによって抽出された追記画像と前記表示画像とを関連付けた関連情報を生成する関連付ステップと、
前記関連付ステップによって関連付けられた前記追記画像と前記表示画像とを別々に記憶する記憶ステップと、
前記記憶ステップによって記憶された前記表示画像上に、前記関連情報に基づいて前記追記画像を重ね合わせ、前記表示部に表示する画像重合ステップとを実行させるためのプログラム。
【発明の詳細な説明】
【技術分野】
【０００１】
本発明は、画像形成装置およびプログラムに関する。
【背景技術】
【０００２】
従来、コピー機、プリンタ、スキャナ、ファクシミリ、およびこれらを備えた複合機などの画像形成装置は、タッチパネル機能を有する表示画面を備えている。画像形成装置は、工場出荷時にその地域の言語に合わせた表示画面が設定されており、表示画面の言語は、主要な国の言語しか対応していないため、所定の国の言語に変更することができないといった問題がある。また、表示内容の変更を行う作業は、専門知識を必要とするものであり、かつ、時間の掛る作業である。
【０００３】
このような背景において、ユーザが表示内容を容易に変更する技術が開示されている（例えば、特許文献１、２）。特許文献１に記載の発明は、ユーザが考えた操作キーのレイアウトを記載した原稿を画像読み取り手段で読み取らせ、読み取った読取画像を解析してレイアウト情報を表示させると共に、各操作キーに機能を割り当てるという技術である。この結果、ユーザが望む表示内容に変更することができる。
【０００４】
一方、特許文献２に記載の発明は、配付資料に書き込まれたアノテーションデータを抽出するプログラムである。ユーザが配付資料の印刷を指示すると、その配付資料にファイルＩＤが付与されて印刷される。この際、印刷用画像データは、ファイルＩＤが付与されて文書ストレージに格納される。ユーザが配付資料にアノテーションを書き込み、スキャナで読み取ると、入力画像データのファイルＩＤを検出して、このファイルＩＤに基づいて、文書ストレージから印刷用画像データが取得される。印刷用画像データと入力画像データとの差分画像データからアノテーションデータが抽出される。そして、アノテーションデータは、オリジナルの印刷用画像データに合成されて表示される。この結果、電子化された手書きのアノテーションの共有が容易となる。
【特許文献１】特開２００４−７５７９号公報
【特許文献２】特開平５−２６３５５８号公報
【発明の開示】
【発明が解決しようとする課題】
【０００５】
しかしながら、操作キー（閉塞領域）のレイアウトを変更するだけではなく、上述したように、表示画面の言語（文字）を容易に変更したいといった要望もある。また、膨大な数のメニューリストから機能を選択して、全ての閉塞領域に機能を割り当てるのではなく、必要な部分のみを容易に変更できるといったカスタマイズ機能が望まれている。
【０００６】
また、印刷用画像データと入力画像データとを差分することで追記部分を抽出する方法は、画像同士の差分抽出であるため、写真などの高精細画像の場合には追記部分の抽出精度が低下するといった問題がある。
【０００７】
本発明は、このような背景を鑑み、画像形成装置において、表示画面の変更を自由かつ容易に行うことができると共に、表示画面に追記された部分の抽出精度を向上する技術を提供することを目的とする。
【課題を解決するための手段】
【０００８】
請求項１に記載の発明は、所定の画像を表示する表示部と、前記表示部に表示された表示画像に対して手書きで追記された部分を抽出する追記部分抽出部と、前記追記部分抽出部によって抽出された追記画像と前記表示画像とを関連付けた関連情報を生成する関連付部と、前記関連付部によって関連付けられた前記追記画像と前記表示画像とを個別に記憶する記憶部と、前記記憶部に記憶された前記表示画像上に、前記関連情報に基づいて前記追記画像を重ね合わせ、前記表示部に表示する画像重合部とを備えることを特徴とする画像形成装置である。
【０００９】
請求項２に記載の発明は、請求項１に記載の発明において、前記表示画像を印刷する印刷部と、前記印刷部によって印刷された表示画像に対して手書きで追記された画像を読み取る読取部とを備え、前記追記部分抽出部は、前記読取部によって読み取られた画像と前記印刷部によって印刷された表示画像とを差分することで追記された部分を抽出することを特徴とする。
【００１０】
請求項３に記載の発明は、請求項１に記載の発明において、前記表示部に表示された画面上で手書きによって追記入力する追記入力部とを備え、前記追記部分抽出部は、前記追記入力部によって入力された画像と前記表示画像とを差分することで追記された部分を抽出することを特徴とする。
【００１１】
請求項４に記載の発明は、請求項３に記載の発明において、前記追記入力部は、タッチパネルおよびタッチペンで構成されていることを特徴とする。
【００１２】
請求項５に記載の発明は、請求項２に記載の発明において、前記表示画像内の特定領域を削除または塗り潰すことで追記可能領域を生成する追記可能領域生成部とを備え、前記印刷部は、追記可能領域が生成された表示画像を印刷することを特徴とする。
【００１３】
請求項６に記載の発明は、請求項５に記載の発明において、前記追記可能領域生成部は、前記表示画像内の文字を削除または塗り潰すことで追記可能領域を生成することを特徴とする。
【００１４】
請求項７に記載の発明は、請求項２に記載の発明において、前記印刷部による印刷時に前記表示画像の印刷色を選択するように構成されていることを特徴とする。
【００１５】
請求項８に記載の発明は、請求項２に記載の発明において、前記印刷部による印刷時に前記表示画像の印刷倍率を選択するように構成されていることを特徴とする。
【００１６】
請求項９に記載の発明は、請求項２に記載の発明において、前記読取部によって読み取られた画像が前記表示画像のサイズと異なる場合には、読取倍率を選択するように構成されていることを特徴とする。
【００１７】
請求項１０に記載の発明は、請求項１に記載の発明において、前記関連情報は、前記追記画像のＩＤと前記表示画像のＩＤとを関連付けた情報で構成されていることを特徴とする。
【００１８】
請求項１１に記載の発明は、請求項１に記載の構成を有する画像形成装置に実行させるプログラムであって、所定の画像を表示する表示ステップと、前記表示ステップによって表示された表示画像に対して追記された部分を抽出する追記部分抽出ステップと、前記追記部分抽出ステップによって抽出された追記画像と前記表示画像とを関連付けた関連情報を生成する関連付ステップと、前記関連付ステップによって関連付けられた前記追記画像と前記表示画像とを別々に記憶する記憶ステップと、前記記憶ステップによって記憶された前記表示画像上に、前記関連情報に基づいて前記追記画像を重ね合わせ、前記表示部に表示する画像重合ステップとを実行させるためのプログラムである。
【発明の効果】
【００１９】
請求項１に記載の発明によれば、表示画像に対して手書きで追記するため、形状や言語の制限がなく、自由に記述することができると共に、表示内容の変更を容易に行うことができる。また、追記画像と元の表示画像とが別々に記憶部に記憶されるため、元の表示内容および機能が一切変更されることがない。このため、追記画像を非表示とすることで、元の表示画像をいつでも表示部に復元させることができる。
【００２０】
請求項２に記載の発明によれば、印刷された表示画像に対して手書きで追記するため、形状や言語の制限がなく、自由に記述することができると共に、追記した画像を読み取らせるだけで表示内容の変更を行うことができる。また、追記部分は、読取画像と印刷された表示画像とを差分することで抽出されるため、追記部分の抽出精度が向上する。
【００２１】
請求項３に記載の発明によれば、表示部に表示された画面上で手書きにより追記が行われるため、表示内容の変更をより簡単に行うことができる。また、読取部を設けない構成にすることができる。
【００２２】
請求項４に記載の発明によれば、表示部の画面上でタッチペンを用いて追記が行われるため、表示内容の変更をさらに容易に行うことができる。
【００２３】
請求項５に記載の発明によれば、表示画像に追記可能領域が生成されることで、必要な部分のみを変更することができる。また、追記可能領域は、削除または塗り潰しによって生成されるため、表示画像が写真のような高精細画像の場合であっても、追記部分を精度良く抽出することができる。
【００２４】
請求項６に記載の発明によれば、表示画像内の文字を削除または塗り潰すことで追記可能領域が生成されるため、表示画像内の文字を容易に変更することができる。
【００２５】
請求項７に記載の発明によれば、表示画像の印刷色は、グレースケール、無色、薄色などから選択するように構成されている。印刷色が選択されることで、表示画像が写真のような高精細画像の場合であっても、追記部分の抽出精度が向上する。
【００２６】
請求項８に記載の発明によれば、表示画像の印刷倍率が選択されることで、表示部に反映させる表示サイズを変更することができる。
【００２７】
請求項９に記載の発明によれば、読み取られた画像が、表示画像のサイズと異なる場合には、読取倍率を選択することで、表示部に反映させる表示サイズを変更することができる。
【００２８】
請求項１０に記載の発明によれば、追記画像と表示画像とを別々に記憶部に記憶することができるため、追記画像を非表示とすることで、元の表示画像をいつでも表示部に復元させることができる。
【００２９】
請求項１１に記載の発明によれば、表示画像に対して手書きで追記するため、形状や言語の制限がなく、自由に記述することができると共に、表示内容の変更を容易に行うことができる。また、追記画像と元の表示画像とが別々に記憶部に記憶されるため、元の表示内容および機能が一切変更されることがない。このため、元の表示画像をいつでも表示部に復元させることができる。
【発明を実施するための最良の形態】
【００３０】
１．第１の実施形態
以下、ＵＩ画面（ユーザインターフェイス画面）内の文字を変更可能な画像形成装置の一例について説明する。
【００３１】
（画像形成装置の構成）
図１は、第１の実施形態に係る画像形成装置のブロック図である。画像形成装置１は、ＵＩ表示部２、制御部３、記憶部４、プリンタ５、スキャナ６を備えている。画像形成装置１は、ＵＩ画面のタイトル名、ボタン名、キャプション名などの文字を変更する機能を有しており、例えば、図１に示す「Ｃｏｐｙ」ボタンの英語表記を「コピー」の日本語表記に変更可能である。
【００３２】
ＵＩ表示部２は、例えばタッチパネル機能を有する表示画面である。ＵＩ表示部２に表示されるＵＩ画面をカスタマイズするための操作画面を図２に示す。図２は、ＵＩ画面の印刷を指示するＵＩ印刷画面（Ａ）と、印刷されたＵＩ画面に追記された画像の読み取りを指示するＵＩスキャン画面（Ｂ）とを示している。ユーザは、まずＵＩ印刷画面７を操作することで、プリンタ５からＵＩ画面を印刷する。そして、印刷されたＵＩ画面に対して追記が行われた後、ＵＩスキャン画面８を操作することで追記された画像をスキャナ６に読み取らせる。この操作によって、追記した内容がＵＩ画面に反映される。
【００３３】
ＵＩ印刷画面７には、ＵＩ画面の印刷色を選択する印刷色選択部９と、ＵＩ画面の印刷倍率を選択する印刷倍率選択部１０と、ＵＩ画面の文字を削除するか否かを選択する文字削除選択部１１と、ＵＩ画面印刷ボタン１２とを設けている。印刷色選択部９は、ドロップダウンメニューで構成され、例えば、グレースケール、無色、薄色が選択可能とされる。また、印刷倍率選択部１０も、ドロップダウンメニューで構成され、例えば、５０％〜２００％（拡大、等倍、縮小）の間で印刷倍率が選択可能とされる。文字削除選択部１１は、チェックボックスで構成され、チェックの有無によりＵＩ画面に表示されている文字の削除が選択可能とされる。ＵＩ画面印刷ボタン１２は、印刷を指示するボタンである。
【００３４】
ＵＩスキャン画面８には、追記されたＵＩ画面の読取倍率を選択する読取倍率選択部１３と、ＵＩ画面スキャンボタン１４とで構成される。読取倍率選択部１３は、読取サイズがＵＩ画面サイズと異なる場合に、ＵＩ画面に反映させる倍率が選択可能とされる。例えば、読取倍率は、５０％〜２００％（拡大、等倍、縮小）の間で選択可能とされる。なお、読取りサイズをＵＩ画面サイズに自動的にフィットさせる項目が選択可能とされてもよい。
【００３５】
制御部３は、半導体集積回路で構成され、記憶部４に記憶されたプログラムを読み出して実行する。プログラムは、追記可能領域生成部１５、追記部分抽出部１６、追記・ＵＩ関連付部１７、画像重合部１８で構成される。記憶部４は、このプログラムの他、ＵＩ表示画像１９、追記画像２０、追記・ＵＩ関連情報２１を記憶する。
【００３６】
追記可能領域生成部１５は、図２に示すＵＩ印刷画面７の文字削除選択部１１がチェックされた場合に、ＵＩ表示画像１９の文字を削除または塗り潰すことで追記可能領域２２を生成する。例えば、図１に示す「Ｃｏｐｙ」ボタンおよび「Ｓｃａｎ」ボタンの文字を削除することで、図１に示す追記可能領域２２が生成される。なお、ＵＩ表示画像１９内の特定領域（操作ボタンなどの閉塞領域）を削除または塗り潰すことで追記可能領域２２を生成してもよい。追記可能領域２２が生成されたＵＩ表示画像１９’は、図２に示すＵＩ印刷画面７の印刷色選択部９、印刷倍率選択部１０の設定に基づいて、プリンタ５から印刷される。
【００３７】
ユーザは、例えば、追記可能領域２２に手書きで「コピー」と追記を行い、図２に示すＵＩスキャン画面８を操作することで、追記された画像をスキャナ６に読み取らせる。この際、読み取られた読取画像２３の大きさが、ＵＩ画面サイズと異なる場合には、図２に示すＵＩスキャン画面８の読取倍率選択部１３が選択可能となり、ユーザは、読取倍率を選択する。
【００３８】
追記部分抽出部１６は、追記可能領域２２が生成されたＵＩ表示画像１９’と、スキャナ６によって読み取られた読取画像２３とを差分することで、追記画像２０を抽出する。追記画像２０は、記憶部４に記憶される。
【００３９】
追記・ＵＩ関連付部１７は、追記画像２０とＵＩ表示画像１９との関連情報を生成する。追記・ＵＩ関連情報２１は、テーブルで構成される。図３は、追記・ＵＩ関連情報を示す図である。ＵＩ表示画像１９にはＵＩ画面ＩＤが割り当てられ、追記画像２０には追記ＩＤが割り当てられる。また、追記・ＵＩ関連情報２１は、１つのＵＩ表示画像１９に対して複数の追記画像２０を関連付けることができる。また、追記・ＵＩ関連情報２１は、１つのＵＩ表示画像１９に対して関連付けられた追記画像２０の個数を表す追記数を格納する。
【００４０】
画像重合部１８は、追記・ＵＩ関連情報２１に基づいて、ＵＩ表示画像１９上に追記画像２０を重ね合わせ、ＵＩ表示部２に表示させる。この結果、ＵＩ表示部２に表示されていたＵＩ表示画像１９が、重ね合わされた画像２４に変更される。
【００４１】
（画像形成装置の動作）
図４は、ＵＩ画面をカスタマイズするプログラムのフローチャート（Ａ）および（Ｂ）である。フローチャートは、ＵＩ画面を印刷するプリント時（Ａ）と追記したＵＩ画面を読み取るスキャン時（Ｂ）とで構成される。なお、このフローチャートを実行するプログラムは、ＣＤＲＯＭ等の記憶媒体に格納して提供することができる。
【００４２】
以下、ＵＩ画面のプリント時のフローについて説明する。図２に示すＵＩ印刷画面７で所定の設定が行われ、ＵＩ画面印刷ボタン１２を操作することで印刷が指示される（ステップＳ１）。ＵＩ印刷画面７の文字削除選択部１１が選択されている場合には（ステップＳ２のＹＥＳ）、追記可能領域生成部１５は、ＵＩ画面内の文字を削除することで、ＵＩ表示画像１９に追記可能領域２２を生成する（ステップＳ３）。一方、文字削除選択部１１が選択されていない場合には（ステップＳ２のＮＯ）、ＵＩ表示画像１９に追記可能領域２２は生成されない。
【００４３】
図２のＵＩ印刷画面７の印刷倍率選択部１０が設定されている場合には、ＵＩ表示画像１９を拡大または縮小する（ステップＳ４）。また、図２のＵＩ印刷画面７の印刷色選択部９が設定されている場合には、ＵＩ表示画像１９を設定された印刷色に変更する（ステップＳ５）。そして、ＵＩ表示画像１９がプリンタ５によって印刷される（ステップＳ６）。
【００４４】
次に、ＵＩ画面のスキャン時のフローについて説明する。図２に示すＵＩスキャン画面８でＵＩ画面スキャンボタン１４を操作することで、スキャンが指示される（ステップＳ７）。読取画像２３の大きさがＵＩ画面サイズより大きい場合には（ステップＳ８のＹＥＳ）、図２に示すＵＩスキャン画面８の読取倍率選択部１３を操作することで、ＵＩ画面に反映させる倍率が選択される（ステップＳ９）。読取画像２３の大きさがＵＩ画面サイズより小さい場合には（ステップＳ８のＹＥＳ）、図２に示すＵＩスキャン画面８の読取倍率選択部１３を操作することで、ＵＩ画面に反映させる倍率が選択される（ステップＳ９）。読取画像２３の大きさがＵＩ画面サイズと等しい場合には（ステップＳ８のＮＯ）、そのままの倍率で読み取られる。
【００４５】
そして、読取画像２３とＵＩ表示画像１９’とを差分することで、追記部分が抽出され（ステップＳ１０）、追記画像２０が生成される（ステップＳ１１）。生成された追記画像２０とＵＩ表示画像１９とを関連付けて保存し（ステップＳ１２）、追記・ＵＩ関連情報２１に基づいて、ＵＩ表示画像１９上に追記画像２０が重ね合わされ、重ね合わされた画像２４がＵＩ表示部２に表示される（ステップＳ１３）。
【００４６】
（第１の実施形態の優位性）
以下、第１の実施形態の優位性について説明する。第１の実施形態によれば、ＵＩ表示部２に表示される文字を容易に変更することができる。すなわち、印刷されたＵＩ表示画像１９に対して手書きで追記するため、形状や言語の制限がなく、自由に記述することができると共に、追記した媒体を読み取らせるだけで文字の変更を行うことができる。
【００４７】
また、追記画像２０とオリジナルのＵＩ表示画像１９とが別々に記憶部４に記憶されるため、オリジナルの表示内容および機能が一切変更されることがない。このため、追記画像２０を非表示とすることで、オリジナルのＵＩ表示画像１９をいつでもＵＩ表示部２に復元させることができる。
【００４８】
また、追記部分である「コピー」の文字は、読取画像２３とＵＩ表示画像１９’とを差分することで抽出されるため、追記部分の抽出精度が向上する。さらに、ＵＩ表示画像１９に追記可能領域２２が生成されることで、必要な部分のみを変更することができる。また、追記可能領域２２は、削除または塗り潰しによって生成されるため、ＵＩ表示画像１９が写真のような高精細画像の場合であっても、追記部分である「コピー」を精度良く抽出することができる。
【００４９】
また、ＵＩ表示画像１９の印刷色は、グレースケール、無色、薄色などから選択するように構成されている。印刷色が選択されることで、ＵＩ表示画像１９が写真のような高精細画像の場合であっても、追記部分である「コピー」の文字の抽出精度が向上する。
【００５０】
また、ＵＩ表示画像１９の印刷倍率が選択されることで、ＵＩ表示部２に反映させる表示サイズを変更することができる。なお、読取画像２３がＵＩ表示画像１９のサイズと異なる場合には、読取画像２３の読取倍率が選択されることで、ＵＩ表示部２に反映させる表示サイズを変更することができる。
【００５１】
また、追記・ＵＩ関連情報２１によって、追記画像２０とＵＩ表示画像１９とを別々に記憶部４に記憶することができるため、追記画像２０を非表示とすることで、オリジナルのＵＩ表示画像１９をいつでもＵＩ表示部２に復元させることができる。
【００５２】
２．第２の実施形態
以下、ＵＩ画面に注意書き（アノテーション）を追記可能な画像形成装置の一例について説明する。
【００５３】
図５は、第２の実施形態に係る画像形成装置のブロック図である。画像形成装置２５は、図１に示す追記可能領域生成部１５を設けない構成である。その他の構成は、図１に示す画像形成装置１の構成と同様である。画像形成装置２５は、ＵＩ画面に対してアノテーションなどの追記を行う機能を有する。以下、画像形成装置２５の動作について、図４のフローチャートを参照して説明する。
【００５４】
画像形成装置２５は、追記可能領域生成部１５を設けない構成であるため、ＵＩ画面のプリント時のフローチャートにおいて、ステップＳ２およびステップＳ３は除かれる。すなわち、ＵＩ表示画像１９に対して追記可能領域２２の生成が行われずに、印刷倍率の選択（ステップＳ４）、印刷色の選択（ステップＳ５）のみが実行された後、印刷される（ステップＳ６）。ユーザは、例えば、図５に示す「Ｃｏｐｙ」ボタンに「×印」と「使用不可」というアノテーションを手書きで追記し、読取画像２３をスキャナ６に読み取らせる。
【００５５】
ＵＩ画面のスキャン時には、読取画像２３の大きさがＵＩ画面サイズと異なる場合には（ステップＳ８のＹＥＳ）、図２に示すＵＩスキャン画面８の読取倍率選択部１３を操作することで、ＵＩ画面に反映させる倍率が選択される（ステップＳ９）。読取画像２３の大きさがＵＩ画面サイズと等しい場合には（ステップＳ８のＮＯ）、そのままの倍率で読み取られる。
【００５６】
そして、読取画像２３とＵＩ表示画像１９とを差分することで、追記部分である「×印」と「使用不可」というアノテーションが抽出され（ステップＳ１０）、追記画像２０が生成される（ステップＳ１１）。生成された追記画像２０とＵＩ表示画像１９とを関連付けて記憶部４に保存し（ステップＳ１２）、追記・ＵＩ関連情報２１に基づいて、ＵＩ表示画像１９上に追記画像２０が重ね合わされ、重ね合わされた画像２４がＵＩ表示部２に表示される（ステップＳ１３）。
【００５７】
（第２の実施形態の優位性）
第２の実施形態によれば、ＵＩ画面にアノテーションを容易に追記することができる。なお、図１に示す追記可能領域生成部１５を設けない構成でも適用可能である。
【００５８】
３．第３の実施形態
以下、ＵＩ画面に注意書き（アノテーション）を追記可能な画像形成装置の一例について説明する。
【００５９】
図６は、第３の実施形態に係る画像形成装置のブロック図である。画像形成装置２６は、図１に示すプリンタ５、スキャナ６、追記可能領域生成部１５を設けない構成である。また、画像形成装置２６は、ＵＩ追記入力部２７を備えており、その他の構成は、図１に示す画像形成装置１と同様である。ＵＩ追記入力部２７は、ＵＩ表示部２に表示されるＵＩ画面上で直接追記可能なタッチパネルおよびタッチペンで構成される。ユーザは、例えば、タッチペンを用いて、図６に示す「Ｃｏｐｙ」ボタンに「×印」と「使用不可」というアノテーションを追記する。
【００６０】
以下、画像形成装置２６の動作について、図７のフローチャートを参照して説明する。図７は、ＵＩ画面をカスタマイズするプログラムのフローチャートである。なお、このフローチャートを実行するプログラムは、ＣＤＲＯＭ等の記憶媒体に格納して提供することができる。
【００６１】
ＵＩ画面の追記モードが指示されると（ステップＳ１４）、ユーザは、タッチペンを用いて追記を行う（ステップＳ１５）。追記部分抽出部１６は、ＵＩ表示画像１９と追記された読取画像２３とを差分することで、追記部分を抽出する（ステップＳ１６）。そして、追記画像２０が生成される（ステップＳ１７）。追記画像２０は、ＵＩ表示画像１９と関連付けられて記憶部４に保存される（ステップＳ１８）。そして、追記画像２０は、画像重合部１８によってＵＩ表示画像１９上に重ね合わされてＵＩ表示部２に表示される（ステップＳ１９）。
【００６２】
（第３の実施形態の優位性）
第３の実施形態によれば、ＵＩ画面上でタッチペンを用いて追記が行われるため、表示内容の変更を容易に行うことができる。なお、図１に示すスキャナ６を設けない構成でも適用可能である。
【産業上の利用可能性】
【００６３】
本発明は、コピー機、プリンタ、スキャナ、ファクシミリ、およびこれらを備えた複合機などの画像形成装置に利用することができる。
【図面の簡単な説明】
【００６４】
【図１】第１の実施形態に係る画像形成装置のブロック図である。
【図２】ＵＩ画面の印刷を指示するＵＩ印刷画面（Ａ）と、印刷されたＵＩ画面に追記された画像の読み取りを指示するＵＩスキャン画面（Ｂ）である。
【図３】追記・ＵＩ関連情報を示す図である。
【図４】ＵＩ画面をカスタマイズするプログラムのフローチャート（Ａ）および（Ｂ）である。
【図５】第２の実施形態に係る画像形成装置のブロック図である。
【図６】第３の実施形態に係る画像形成装置のブロック図である。
【図７】ＵＩ画面をカスタマイズするプログラムのフローチャートである。
【符号の説明】
【００６５】
１…画像形成装置、２…ＵＩ表示部、３…制御部、４…記憶部、５…プリンタ、６…スキャナ、７…ＵＩ印刷画面、８…ＵＩスキャン画面、９…印刷色選択部、１０…印刷倍率選択部、１１…文字削除選択部、１２…ＵＩ画面印刷ボタン、１３…読取倍率選択部、１４…ＵＩ画面スキャンボタン、１５…追記可能領域生成部、１６…追記部分抽出部、１７…追記・ＵＩ関連付部、１８…画像重合部、１９…ＵＩ表示画像、２０…追記画像、２１…追記・ＵＩ関連情報、２２…追記可能領域、２３…読取画像、２４…重合画像、２５…画像形成装置、２６…画像形成装置、２７…ＵＩ追記入力部。
【図１】
2009290254.tif 000003
【図２】
2009290254.tif 000004
【図３】
2009290254.tif 000005
【図４】
2009290254.tif 000006
【図５】
2009290254.tif 000007
【図６】
2009290254.tif 000008
【図７】
2009290254.tif 000009